(57)【要約】【課題】管への装着が容易な管端部閉塞装置の提供。【解決手段】塞がれる管の開口端部を覆うよう一体成形された有底の筒体部と、前記筒体部の内周面から突出して管の外周面に向かって半径方向に食い込み可能に前記筒体部に設けられた爪部と、ねじ込み量に応じて前記爪部を食い込ませるよう前記筒体部の周方向に所要数配設され、前記筒体部の半径方向に配設されたボルト穴及びボルトとを備えたことを特徴とする。【選択図】　　　　図２
2004092843.tif 000002
【特許請求の範囲】
【請求項１】
塞がれる管の開口端部を覆うよう一体成形された有底の筒体部と、前記筒体部の内周面から突出して管の外周面に向かって半径方向に食い込み可能に前記筒体部に設けられた爪部と、ねじ込み量に応じて前記爪部を食い込ませるよう前記筒体部の周方向に所要数配設され、前記筒体部の半径方向に配設されたボルト穴及びボルトとを備えたことを特徴とする管端部閉塞装置。
【請求項２】
ボルト穴の穴底には当該ボルト穴と連通してボルト穴の軸方向に爪穴が設けられ、当該爪穴に前記ボルト穴から爪部が挿入されて組み付けられたことを特徴とする請求項１に記載の管端部閉塞装置。
【請求項３】
爪部はボルト穴の内径に較べて幅が大きくて厚みが小さく形成され、ボルト穴には当該穴の直径方向に相対して穴の軸方向に延在する２本の爪通し溝が形成されたことを特徴とする請求項１又は請求項２に記載の管端部閉塞装置。
【請求項４】
爪部にはボルト穴の穴底に当接するストッパ突起が設けられたことを特徴とする請求項１乃至請求項３の何れかに記載の管端部閉塞装置。
【請求項５】
爪部のストッパ突起とボルト穴の穴底との間に、少なくとも初使用段階において、爪部がボルトで加圧されると圧縮し、加圧されないと刃部が管に作用しないように保持する緩衝部材が設けられたことを特徴とする請求項４に記載の管端部閉塞装置。
【請求項６】
管の外周面に周方向に巡って密着するシール部を筒体部の内周側に備えたことを特徴とする請求項１乃至請求項５の何れかに記載の管端部閉塞装置。
【発明の詳細な説明】
【０００１】
【発明の属する技術分野】
本発明は、比較的口径の大きい多数の管、例えばダクタイル管を接続して水道管路やガス管路等の管路を形成する際、当該管路の始端或いは終端の管の開口端部を閉じる管端部閉塞装置に関する。
【０００２】
【従来の技術】
従来、例えば、水道管路の端末の管の開口端部を閉じる場合には、当該管の開口端部に被せるフランジ付の蓋体と、当該蓋体を被せられた管に固定するため当該管に予め挿通されて当該管の外周面に固定される抜止押輪との二部材を用いて、固定される前記抜止押輪の外周縁に設けられた締結穴と前記蓋体のフランジに設けられた締結穴とにボルトを管軸方向に通して締め付け固定するという手法が採られていた。
前記抜止押輪は、管の外径より大きな内径を持ち、前記フランジに相対するフランジを備えた環状部材であり、予め、この抜止押輪を当該管の開口端側から挿通して当該管の外周面に固定しておき、然る後、前記の蓋体を当該管の開口端部に被せてから、両フランジを当接してボルトで締結していた。
【０００３】
この抜止押輪は、本来、管と管とを接続する際に、接続される側の管に固定されていた管接続用の部材であり、この抜止押輪のフランジに、接続する側の管のフランジをボルトで締結することにより管が接続されていた。
従って、従来の管の端部を閉塞する手法は、管同士の接続において接続する側の管を、フランジ付の蓋体に換えただけであり、接続の手順や作業は管の接続作業と全く同様であった。
【０００４】
【発明が解決しようとする課題】
しかし、上記従来の手法では、抜止押輪と蓋体とが別体に構成されており、殊に管の口径の違いに応じて、常にこの二部材をセットで揃えておかなくてはならないため、部品管理や運搬等のチェックが煩雑となっていた。
又、接続作業においては、抜止押輪を管に固定する作業に加えて抜止押輪と蓋体とを連結する作業との二作業が必要となるなど、煩雑な作業となっていた。
【０００５】
本発明は、上記課題を解消し、管への装着が容易な管端部閉塞装置の提供を目的とする。
【０００６】
【課題を解決するための手段】
請求項１の管端部閉塞装置の発明は、塞がれる管の開口端部を覆うよう一体成形された有底の筒体部と、前記筒体部の内周面から突出して管の外周面に向かって半径方向に食い込み可能に前記筒体部に設けられた爪部と、ねじ込み量に応じて前記爪部を食い込ませるよう前記筒体部の周方向に所要数配設され、前記筒体部の半径方向に配設されたボルト穴及びボルトとを備えたことを特徴とする。
【０００７】
請求項２の発明は、請求項１に記載の管端部閉塞装置において、ボルト穴の穴底には当該ボルト穴と連通してボルト穴の軸方向に爪穴が設けられ、当該爪穴に前記ボルト穴から爪部が挿入されて組み付けられたことを特徴とする。
【０００８】
請求項３の発明は、請求項１又は請求項２に記載の管端部閉塞装置において、爪部はボルト穴の内径に較べて幅が大きくて厚みが小さく形成され、ボルト穴には当該穴の直径方向に相対して穴の軸方向に延在する２本の爪通し溝が形成されたことを特徴とする。
【０００９】
請求項４の発明は、請求項１乃至請求項３の何れかに記載の管端部閉塞装置において、爪部にはボルト穴の穴底に当接するストッパ突起が設けられたことを特徴とする。
【００１０】
請求項５の発明は、請求項４に記載の管端部閉塞装置において、爪部のストッパ突起とボルト穴の穴底との間に、少なくとも初使用段階において、爪部がボルトで加圧されると圧縮し、加圧されないと刃部が管に作用しないように保持する緩衝部材が設けられたことを特徴とする。
【００１１】
請求項６の発明は、請求項１乃至請求項５の何れかに記載の管端部閉塞装置において、管の外周面に周方向に巡って密着するシール部を筒体部の内周側に備えたことを特徴とする。
【００１２】
【発明の実施の形態】
実施の形態１．
以下、本発明の実施の形態１を図１乃至図２に基づいて説明する。図１は装置の外観図、図２は装置の要部断面図、図３は爪部の正面図、図４は爪部の側面図、図５は爪部の平面図、図６はネジ穴の横断面図である。
図１及び図２において、１０は例えば水道管路の端末の管であり、２０は当該管１０の開口端部を覆うように、当該開口端部側から嵌められた管端部閉塞装置である。以下、この管端部閉塞装置を本装置或いは単に装置ともいう。
【００１３】
本装置２０は、管１０の開口端部を覆うよう一体成形された有底の筒体部２１と、前記筒体部２１の内周面から突出して管１０の外周面に食い込み可能な爪部３０と、前記爪部３０を前記管１０の半径方向に食い込ませるよう、前記筒体部２１の半径方向に設けられたボルト穴４１及びこのボルト穴４１にねじ込まれるボルト４０とを備えている。
【００１４】
図２乃至図５において、爪部３０は、ボルト穴４１の内径に較べて幅が大きくて厚みが小さく形成された板状部材であって、先端には刃部３１が管１０の
外周面に相応するように弧状に設けられ、後端にはストッパ突起３２が設けられている。このストッパ突起３２はネジ穴４１の内径よりやや小さい径の円板状のもので、爪部３０の厚みよりは大きい径としている。
尚、ストッパ突起３２は、後述する穴底４３に係止可能な形状であれば、必ずしも円板状に限らない。このストッパ突起３２の作用については後述する。
【００１５】
図２及び図６において、雌ネジが形成されたボルト穴４１の穴底４２には、このボルト穴４１と連通するように、ボルト穴４１の軸方向に爪穴３３が設けられ、爪部３０はボルト穴４１から挿し込まれて爪穴３３に挿入されて組み付けられる。
このボルト穴４１には、爪部３０の幅方向の両縁側が当該ボルト穴４１の内周面に当たらないように、穴の直径方向に相対してボルト穴４１の軸方向に延在する２本の爪通し溝４３、４３が形成されている。
爪部３０に設けられた前記のストッパ突起３２は、このボルト穴４１の穴底４２に当接して、爪部３０の爪穴３３への落下を阻止している。
【００１６】
図４において、この実施の形態では、爪部３０のストッパ突起３２とボルト穴４１の穴底４２との間に、少なくとも装置２０の初使用段階において、爪部３０がボルト４０のねじ込みにより加圧されると圧縮し、加圧されないと刃部３１の刃先が管１０に作用しないように、例えば接触しないように、保持させる緩衝部材５０を設けている。
この緩衝部材５０としては、例えば、適当形状のスポンジの一面に両面テープを貼り付けてストッパ突起３２の裏面側に貼り付けてもよい。
【００１７】
このような緩衝部材５０を介在させることによって、ボルト穴４１から挿入された爪部３０は、単に、爪穴３３に挿し込まれた状態では、刃部３１の刃先が爪穴３３内に収まり、露出しないので、本装置２０を官１０の開口端部に被せる際即ち嵌め込む際に、刃部３１が管１０の表面に引っかかって被せ難くなることがなくなり、円滑に装着することができる。
この状態において、ボルト穴４１にボルト４０をねじ込んで、或いは浅くねじ込まれていたボルト４０を深くねじ込んで、爪部３０の後端部を押圧すると、刃部３１の刃先が管１０の外周面に食い込んで係止し、管１０からの装置２０の抜け（脱落）が阻止される。
【００１８】
前記の爪部３０とボルト穴４１及びボルト４０からなる固定手段は、筒体部２１の周方向に均等間隔にて、この例では３個所（図１参照）に配設されている。
尚、図１に示すように、ボルト４０を、爪部３０を押圧しないか、押圧しても刃部３１が露出しない程度に緩めておくことによって、装置の構成要素となる各構成部品が、本装置２０に一体化された状態で、単一部品として取り扱うことができる。
【００１９】
再び図２において、筒体部２１の内周面側には、当該内周面を周方向に巡る凹状のシール溝６１を設け、このシール溝６１に環状のシール部材６２を嵌め込んでシール部６０を設けてある。
このシール溝６１の幅方向（管軸方向）の適所には、当該シール溝６１の内面から僅かに突出する断面凸状の突条６３を周方向に設けて、当該シール溝６１に嵌め込まれたシール部材６２の管軸方向への摺動（移動）を阻止させている。
これによって、管１０に対する筒体部２１の着脱の際、管１０の外周面との接触によるシール部材６２の脱落や偏りが無くなり、円滑な着脱ができる。
【００２０】
この実施の形態１の本装置２０によれば、管１０の開口端部へ筒体部２１を嵌めてボルト４０をねじ込むだけの一作業で端末の管１０を塞ぐことができる。
又、本装置２０は、構成要素が筒体部２１に一体化されているので、装置自体を単体（単一部材）として取り扱うことができ、装置の管理や運搬の作業が従来に比べて容易となる。
【００２１】
尚、この管端部閉塞装置２０には、管１０に装着した状態において、天地側に位置する（位置するように本装置を嵌め込む。）空気抜き穴と水及び泥抜き穴とが設けられているが、図において省略してある。
【００２２】
【発明の効果】
請求項１乃至第６の発明によれば、何れも、管の開口端部へ筒体部を嵌めてボルト締めする作業だけで容易かつ迅速に管の開口端部を塞ぐことができる。
又、開口端部を塞ぐ筒体部に各構成要素が一体的に設けられているので、本装置自体を単体（単一部材）として取り扱うことができ、装置の管理や運搬等の作業が従来に比べて容易となる。
【００２３】
又、ストッパ突起とネジ底との間に緩衝部材を配設して、少なくとも、初使用段階では爪部が爪穴内に収まっているので、従来のように爪先が官に触れて管への被せ作業に困難を生じさせること無く、円滑に被せ作業を行うことができる。
【００２４】
又、請求項６の発明によれば、固定手段のみならず、シール部も予め筒体部に一体的に設けられているので、装置自体を単体（単一部材）として取り扱うことができ、本装置の管理や運搬等の作業が容易となる。
【図面の簡単な説明】
【図１】本装置の外観図である。
【図２】本装置の要部断面図である。
【図３】本装置の爪部の正面図である。
【図４】本装置の爪部の側面図である。
【図５】本装置の爪部の平面図である。
【図６】本装置のネジ穴の横断面図である。
【符号の説明】
１０　管、２０　管端部閉塞装置（本装置）、２１　筒体部、３０　爪部、３１　刃部、３２　ストッパ突起、３３　爪穴、４０　ボルト、４１　ボルト穴、４２　穴底（ボルト穴）、４３　爪通し穴、５０　緩衝部材。
【図１】
2004092843.tif 000003
【図２】
2004092843.tif 000004
【図３】
2004092843.tif 000005
【図４】
2004092843.tif 000006
【図５】
2004092843.tif 000007
【図６】
2004092843.tif 000008